【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】  他の装置から情報を受信するための情報受信手段と、
他の装置に対して提供するサービスの基礎となる処理データを準備するための処理データ準備手段と、
前記情報受信手段が、他の装置からのサービス要求を受信した事に応答して、前記処理データを含む送信データを、前記サービス要求を送信してきた前記他の装置に送信するためのデータ送信手段とを含む、サービス提供装置。
【請求項２】  前記情報受信手段が、
他の装置からの入力データを受信した事に応答して、当該入力データと前記処理データ準備手段により準備されているデータとを照合し、前記入力データの正当性を検証するための検証手段と、
前記検証手段による検証結果に従って、前記入力データによって前記処理データを更新する処理と、前記入力データを送信してきた他の装置に前記送信データを送信する処理とを選択的に行なうための手段とを含む、請求項１に記載のサービス提供装置。
【請求項３】  前記処理データを参照しながら行なう処理手順を指定する、コンピュータで実行可能なサービスプログラムを準備するためのサービスプログラム準備手段をさらに含み、
前記サービス要求は、当該サービス要求を送信してきた他の装置に記憶されているサービスプログラムの属性を示す属性情報を含む、請求項１又は請求項２に記載のサービス提供装置。
【請求項４】  前記サービス提供装置はさらに、
前記サービス要求に含まれる属性情報に基づき、前記サービス要求を送信してきた他の装置に記憶されているサービスプログラムを更新すべきか否かを判定するための手段と、
前記判定するための手段により、前記他の装置に記憶されているサービスプログラムを更新すべきであると判定された事に応答して、前記送信データに、前記サービスプログラム準備手段が準備したサービスプログラムを添付するためのサービスプログラム添付手段とをさらに含む、請求項３に記載のサービス提供装置。
【請求項５】  前記検証手段により、前記入力データが正当であると判定された事に応答して、前記入力データを送信してきた他の装置に所定の確認メッセージを送信するための手段をさらに含む、請求項２に記載のサービス提供装置。
【請求項６】  前記サービス要求は、サービスを要求する個人を識別するための個人識別情報を含み、
前記サービス提供装置は、
個人に関する情報を、個人識別情報をキーとして記憶するための個人データベースと、
前記サービス要求に含まれる個人識別情報に基づいて前記個人データベースを検索し、対応する個人データを前記送信データに添付するための個人データ添付手段とをさらに含む、請求項１又は請求項２に記載のサービス提供装置。
【請求項７】  前記他の装置はコンピュータを含み、
前記サービスプログラム準備手段が準備するサービスプログラムは、コンピュータ上で実行される事により、当該コンピュータを、所定の入力項目を当該コンピュータの操作者に入力させるための手段を含むデータ入力装置として機能させるものである、請求項３又は請求項４に記載のサービス提供装置。
【請求項８】  前記サービスプログラムと、前記コンピュータとにより実現される前記データ入力装置は、
前記操作者により入力された項目が正当であるか否かを、前記サービス提供装置から前記コンピュータに送信された前記処理データを参照して検証するための手段と、
前記検証するための手段により、前記入力項目が正常であると判定されるまで、前記所定の入力させるための手段による入力を前記操作者に行なわせるための手段と、
前記検証するための手段により、前記入力項目が正常であると判定された事に応答して、当該入力された項目を当該サービス提供装置に送信するための手段とをさらに含む、請求項７に記載のサービス提供装置。
【請求項９】  前記サービス提供装置は、前記データ送信手段が、前記他の装置に対して前記送信データを送信し終えた事に応答して、前記他の装置との通信を終了するための手段をさらに含む、請求項１又は請求項２に記載のサービス提供装置。
【請求項１０】  前記サービスプログラムは、所定のサービスプログラム処理装置において起動されると、操作者に対して所定の入力項目への正当な入力を要求し、当該入力項目への入力を前記サービス提供装置に送信するデータ入力装置として前記サービスプログラム処理装置を機能させる、請求項３又は請求項４に記載のサービス提供装置。
【請求項１１】  サービス提供装置に対してサービスの提供を要求するサービス要求を送信するためのサービス要求手段と、
他の装置からデータを受信するためのデータ受信手段と、
所定の処理を実行する際に参照するための処理データを記憶するための第１の記憶手段と、
前記第１の記憶手段に記憶されている前記処理データを参照する事により、前記所定の処理を実行するサービスプログラムを記憶するための第２の記憶手段と、
前記サービス要求に応答して前記サービス提供装置から送信されてきた送信データを前記データ受信手段が受信した事に応答して、当該送信データから前記処理データを抽出して前記第１の記憶手段に記憶させるための処理データ抽出手段と、
前記第２の記憶手段に記憶されている前記サービスプログラムを実行する事により、前記所定の処理を実行するためのプログラム実行手段と、
前記プログラム実行手段が実行した処理の結果を前記サービス提供装置に送信するための処理結果送信手段とを含む、情報処理装置。
【請求項１２】  前記データ受信手段が受信した前記データに前記サービスプログラムが含まれている事に応答して、前記データ受信手段が受信した前記データから前記サービスプログラムを抽出し、前記第２の記憶手段に記憶させるためのサービスプログラム抽出手段をさらに含む、請求項１１に記載の情報処理装置。
【請求項１３】  前記情報処理装置は、前記第２の記憶手段に記憶されている前記サービスプログラムの属性を、前記サービス要求に付して前記サービス提供装置に送信するための手段をさらに含む、請求項１１に記載の情報処理装置。
【請求項１４】  前記情報処理装置は、
操作者を識別するための個人識別情報を、前記サービス提供装置に対して送信するための手段と、
前記データ受信手段が受信したデータに個人データが添付されている事に応答して、前記データ受信手段が受信したデータから前記個人データを抽出するための個人データ抽出手段と、
前記個人データ抽出手段が抽出した個人データを記憶するための個人データ記憶手段とをさらに含む、請求項１１に記載の情報処理装置。
【請求項１５】  前記プログラム実行手段は、前記第２の記憶手段に記憶されている前記サービスプログラムによって指定された動作手順に従い、前記個人データ記憶手段に記憶されている前記個人データと、前記第１の記憶手段に記憶されている前記処理データとを参照して、前記所定の処理を実行するための手段を含む、請求項１４に記載の情報処理装置。
【請求項１６】  請求項１から請求項１０のいずれかに記載のサービス提供装置と、請求項１１から請求項１５のいずれかに記載の情報処理装置とを含む、サービス提供システム。
【請求項１７】  コンピュータ上で実行されると、当該コンピュータを請求項１から請求項１０のいずれかに記載のサービス提供装置として動作させる、コンピュータで実行可能なコンピュータプログラム。
【請求項１８】  コンピュータ上で実行されると、当該コンピュータを請求項１１から請求項１５のいずれかに記載の情報処理装置として動作させる、コンピュータで実行可能なコンピュータプログラム。
【請求項１９】  請求項１７又は請求項１８に記載のコンピュータプログラムが記録された、コンピュータで読取可能な記録媒体。